(57)【特許請求の範囲】
【請求項１】
遊技球を導入する入口部を通過する前記遊技球の入球数を前記入口部で検出する入球カウント検出手段と、
前記入口部から導入された前記遊技球を、少なくとも当り通路と外れ通路とを含む複数の通路に振り分けて排出可能な振り分け手段と、
前記振り分け手段に振り分け先変更動作をさせる制御装置と、
を有し、
前記振り分け手段は、
前記入口部を通過した前記遊技球を貯留可能な開放溝が外周に設けられ、軸を中心に回動する回転体であり、
前記開放溝に前記遊技球が貯留された状態においては、前記入口部を通過した前記遊技球を前記外れ通路に導くと共に、
前記入球カウント検出手段で検出した前記遊技球の入球数が設定数より小さい場合には、前記開放溝に前記遊技球が貯留された前記回転体を一方に回動することにより、該貯留された前記遊技球を前記外れ通路に導き、
前記入球カウント検出手段で検出した前記遊技球の入球数が設定数に等しいか又は大きい場合には、前記開放溝に前記遊技球が貯留された前記回転体を他方に回動することにより、該貯留された前記遊技球を前記当り通路に導き、
前記制御装置に記憶される前記設定数の変更が可能であることを特徴とする遊技球の入賞装置。
【発明の詳細な説明】
【０００１】
【産業上の利用分野】
本発明はパチンコ球等の遊技球を複数の入口に異る確率で振り分けて入れる遊技球の入賞装置に関する。
【０００２】
【従来の技術】
従来より、小遊技球体を用いたゲームとして、パチンコ機等が用いられている。このようなパチンコ機では、発射装置で遊技球上にパチンコ球を打ち出し、遊技盤上に設けた入賞装置の１つである、電動役物、入賞口、若しくはアウト口等にパチンコ球を入れてゲームを進めるようにされている。この、遊技盤上の入賞装置の中には、いわゆる振り分け回転体がある。これは、回転動作する回転体の一部に複数設けた溝にパチンコ球が入るようにされていて、回転体の正転、又は逆転動作に従って回転体の周囲に複数設けられた入口のいずれかにパチンコ球を振り分けて入れるようにする。これとともに、回転体がパチンコ球を運んでいる時間だけ、パチンコ球が入口に入るまでの時間に幅を持たせる。このようにしてパチンコ球が発射されてから入賞口等に入るまでの動作に変化を付け、ゲームを面白くするようにされている。
【０００３】
【発明が解決しようとする課題】
上述のような従来の入賞装置では、回転体の周囲に設けた複数の入口の中の１つを入賞口とした場合、この入賞口にパチンコ球が振り分けられて入賞する確率は、回転体自体の溝の数に対する回転体周囲の入口の数、及び回転体の動作方法により一率に定まってしまう。例えば回転体に３ヵ所の入球用溝を設けそのうちの一つに入球したパチンコ球だけが入賞口に入るように構成した場合には、入賞確率は３分の１になる。
【０００４】
このような従来の入賞装置で入賞確率を変更しようとするときには、所要数の溝を設けた別体の回転体に交換する等、入賞装置自体の構造を変更せねばならなくなる。また、入賞確率を極めて小さくするために、回転体に多数の入球用溝を設けた場合には、回転体の外径も大きくなり、入賞装置自体も大形化してしまう。
【０００５】
本発明は上記事実を考慮し、入賞装置自体の構造を変更しなくても入賞確率を変更でき、しかも小形化可能な遊技球の入賞装置を新たに提供することを目的とする。
【０００６】
【課題を解決するための手段】
本発明の遊技球の入賞装置は、遊技球を導入する入口部を通過する前記遊技球の入球数を前記入口部で検出する入球カウント検出手段と、前記入口部から導入された前記遊技球を、少なくとも当り通路と外れ通路とを含む複数の通路に振り分けて排出可能な振り分け手段と、前記振り分け手段に振り分け先変更動作をさせる制御装置と、を有し、前記振り分け手段は、前記入口部を通過した前記遊技球を貯留可能な開放溝が外周に設けられ、軸を中心に回動する回転体であり、前記開放溝に前記遊技球が貯留された状態においては、前記入口部を通過した前記遊技球を前記外れ通路に導くと共に、前記入球カウント検出手段で検出した前記遊技球の入球数が設定数より小さい場合には、前記開放溝に前記遊技球が貯留された前記回転体を一方に回動することにより、該貯留された前記遊技球を前記外れ通路に導き、前記入球カウント検出手段で検出した前記遊技球の入球数が設定数に等しいか又は大きい場合には、前記開放溝に前記遊技球が貯留された前記回転体を他方に回動することにより、該貯留された前記遊技球を前記当り通路に導き、前記制御装置に記憶される前記設定数の変更が可能であることを特徴とする。
【０００７】
【作用】
本発明は上述のように構成することにより、入口部から導入される遊技球の入球数を入球カウント検出手段を用いて入口部で検出し、この入球数が制御装置に記憶されている設定数より小さい場合には、開放溝に遊技球が貯留された回転体を一方に回動することにより、貯留された遊技球を外れ通路に導き、設定数に等しいか又は大きい場合には、開放溝に遊技球が貯留された回転体を他方に回動することにより、貯留された遊技球を当り通路に導く。このように、制御装置が入口部から入った遊技球の排出通路を変更するよう制御動作し、入口部から入った遊技球を所要の確率で複数の通路に選択的に振り分けるという作用を奏する。また、制御装置に記憶される設定数を変更することによって、この確率を変えることができる。
【０００８】
【実施例】
以下、本発明のパチンコ機の実施例を図面によって説明する。本発明の第１実施例のパチンコ機は、その全体構成を図１に示すように、遊技機本体の前面枠内に遊技盤１０が配置されている。遊技盤１０の中央上部には入賞装置１２が配置され、その下位には始動口１４が配置され、さらにその下位には大入賞口１６が配置されている。また、遊技盤１０上には通常入賞口１８、風車２０及び外れ口２２等が配置されている。
【０００９】
また、パチンコ機本体の遊技盤１０の下部には、打球待機樋１９が配置され、さらにその下方には、賞品球受皿２１とパチンコ球発射装置の打球ハンドル２３が配置されている。
【００１０】
この入賞装置１２は、図２乃至図７にも示すように、入賞装置１２のハウジング２４の中央部に振り分け用の回転体２６が回転駆動可能に装着されている。この回転体２６は円柱状で、その外周部分の一箇所にＵ字状の開放溝２８が設けられている。回転体２６の裏面中央部には環状の軸固定部材３０が固着される。そしてハウジング２４の軸孔３２に軸支された回転軸部材３４の先端部が軸固定部材３０に固着される。
【００１１】
回転軸部材３４の基端部には図示しないが六角形状の凹部が設けられていて、この凹部に位置検出用ロータ３６の一方の中心軸部に設けた六角柱状の嵌合用軸部３８が嵌合され一体化される。位置検出用ロータ３６は円板状に形成され、その一部に検出用に板を貫通する長溝状に形成した被検出対象部４０が形成されている。
【００１２】
位置検出用ロータ３６の他方の円柱状中心軸部４２は、ブラケット４４の軸穴４６に軸支されるとともに、この中心軸部４２には、駆動モータ４８の回転軸５０が嵌入され、回転軸５０から中心軸部４２に回転力が伝達される。
【００１３】
ブラケット４４には、略Ｕ字形状のフォトインターラプタで構成した位置検出用センサ５２に固着した支板５４部分を固着し、位置検出用センサ５２のＵ字状空間部に位置検出用ロータ３６が挟まれるような状態に、位置検出用センサ５２が設置される。
【００１４】
ブラケット４４はハウジング２４の裏側所定位置に取り付けられる。さらにブラケット４４には前述した駆動モータ４８が固定される。
【００１５】
ハウジング２４の表面側には、回転体２６を取り囲む周壁５６が設けられている。この周壁５６は、回転体２６の半分より上方部位をパチンコ球が通過可能なように一定間隔を開けて覆う半円環状の通路部５６Ａと、回転体２６の両側下方にＵ字状に形成した外れ穴周部５６Ｂ、５６Ｂと、回転体２６の直下にＵ字状に形成した当り穴周部５６Ｃと、本実施例では図２に向かって右側の外れ穴周部５６Ｂと当り穴周部５６Ｃとの間に設けた当り案内用周部５６Ｄと、図に向かって左側の外れ穴周部５６と、当り穴周部５６Ｃとの間に設けた外れ案内用周部５６Ｅとを有する。
【００１６】
ハウジング２４の周壁通路部５６Ａの中央上部部位には、パチンコ球を周壁５６内へ導入する入口部６０が設けられている。この入口部６０には、ここを通過するパチンコ球を検出するための入球カウントスイッチ６２が取り付けられる。
【００１７】
ハウジング２４には、入口部６０の上部に開閉装置が装着される。開閉装置は入口部６０の開閉を行うための一対の開閉部材６４、６４を有する。この一対の開閉部材６４、６４は、図示するように基端から自由端にかけて先細りで、かつ自由端部が互いに向き合う方向に湾曲して形成されており、図２にも示すように入口部６０を閉鎖可能にされている。各開閉部材６４は、図７に示すようにその基端部に軸孔６６を穿孔し、この軸孔６６に支軸ピン６８が通される。そして、この支軸ピン６８の両端部を、ハウジング２４の軸支部７０と、カバー部材７２の軸支部７４との間に架設して各開閉部材６４が回動自在に支持される。なお、カバー部材７２はその支柱７６によってハウジング２４に固定される。
【００１８】
各開閉部材６４は、その基端部のハウジング２４側の側面における軸孔６６から偏芯した所定位置に丸棒状の連動ピン７８を突設する。各連動ピン７８は、それぞれハウジング２４における軸支部７０と同芯に形成した各貫通溝８０に挿通され、各連動ピン７８の頭部はハウジング２４の裏側へ突出される。
【００１９】
ハウジング２４の裏側上部には、開閉装置の一対の開閉部材６４を駆動する駆動機構が装着される。このため、ハウジング２４の裏側には、駆動機構用ブラケット８２が取り付けられる。この駆動機構用ブラケット８２には、開閉用ソレノイド８４が取り付けられる。開閉用ソレノイド８４の駆動支杆８６の自由端部には、バー状の連動部材８８が取り付けられる。
【００２０】
また、駆動機構用ブラケット８２の両端部には、それぞれ逆Ｌ字形状のクランク部材９０の屈曲部に設けた軸孔９２に支軸ピン９４を通して一対のクランク部材９０が軸支される。この各クランク部材９０の図に縦に示した一方の支杆部分には、長溝状の案内溝９６を穿設し、この各案内溝９６内にそれぞれ連動部材８８の両端部を摺動自在に挿通して連動させる。
【００２１】
各クランク部材９０の他方の支杆自由端部には、側面コ字形の接続部材９８が形成され、各接続部材９８は、そのコ字形溝内に前述した開閉部材６４の連動ピン７８の先端部を臨ませて連動される。
【００２２】
図２乃至図７に示すように、ハウジング２４の各外れ穴周部５６Ｂの底部に当るハウジング２４の側面部には、それぞれ、パチンコ球５８を外れ球として回収部へ導く外れ通路１００が設けられている。
【００２３】
また、ハウジング２４の当り穴周部５６Ｃの底部に当るハウジング２４の側面部には、パチンコ球５８を当り球として回収部へ導く当り通路１０２が設けられている。この当り通路１０２の入口部位には、通過するパチンコ球５８を検出するための入球スイッチ１０４が取り付けられる。
【００２４】
ハウジング２４の周壁５６の一部として形成された当り案内用周部５６Ｄには、回転体２６と同芯で、かつこの配置された回転体２６の外周面に近接する円弧面が形成されている。この当り案内用周部５６Ｄの円弧面は、その一端部が当り穴周部５６Ｃの一端に接続され、その他端部が回転体２６の中心の高さ位置程度まで延出するよう形成される。これにより当り案内用周部は、開放溝２８にパチンコ球５８を入れた回転体２６がこの当り案内用周部５６Ｄ側へ回動されて来たとき、図５、及び図６に示すようにパチンコ球５８が開放溝２８から脱落することなく、当り穴周部５６Ｃから当り通路１０２へ排出するよう案内する。
【００２５】
ハウジング２４に形成された外れ案内用周部５６Ｅには、回転体２６の外周に隣接する短い同芯円弧面が形成されている。この外れ案内用周部５６Ｅの円弧面は、その一端部が当り穴周部５６Ｃの一端に接続され、その他端部が回転体２６の中心高さの半分程度の高さ位置までの比較的短かい長さに渡って形成される。これにより開放溝２８にパチンコ球５８を入れた回転体２６が、この外れ案内用周部５６Ｅ側へ回動されて来たときに、パチンコ球５８は、外れ案内用周部５６Ｅに至る前の位置で、開放溝２８から抜け落ちて外れ穴周部５６Ｂから外れ通路１００へ排出される。
【００２６】
ハウジング２４の２つの外れ穴周部５６Ｂと、当り穴周部５６Ｃとの表面側開放部には蓋板１０６を取り付けてパチンコ球５８が外れ穴周部５６Ｂ、及び当り穴周部５６Ｃから抜け落ちないように蓋がされる。この蓋板１０６は、蓋板裏面に立設した２本の支柱１０８の各自由端部をハウジング２４の所定位置に設けた固定部１１０にそれぞれ締結して取り付けられる。
【００２７】
次に上述のように構成した入賞装置を制御動作するための装御装置の要部の構成を図８のブロック図によって説明する。この制御装置は、ＣＰＵ１１２に、バス１１４を介してＲＯＭ１１６、ＲＡＭ１１８、及び入力・出力ポート１１９を接続して構成されている。
【００２８】
入力・出力ポート１１９には、前述の始動口１４のスイッチ、開閉用ソレノイド８４、入球カウントスイッチ６２に接続された入球カウンタ６３、入球スイッチ１０４、回転体駆動装置４８、回転体位置検出装置５２、及び大入賞口装置１６が接続されている。
【００２９】
なお、入球カウンタ６３及び入球カウントスイッチ６２は入球カウントスイッチ６２をパチンコ球５８が１個通過したとき１つ送られる信号をカウントしてパチンコ球５８の入球数を検出する入球カウント検出手段を構成する。
【００３０】
次に前述のように構成した本実施例の入賞装置の各機構部の動作を説明する。まず、開閉部材６４を開閉させる開閉装置では、開閉用ソレノイド８４に通電して駆動支杆８６を図７の矢印Ａ方向に移動することにより、連動部材８８を介して２つのクランク部材９０を矢印Ｂ方向に回動する。この各クランク部材９０に各連動ピン７８が連動して各開閉部材６４を矢印Ｃ方向に回動し。図２に示す閉状態から図３に示す開状態に、又はその逆に開閉動作を行う。
【００３１】
また、回転体２６の駆動機構では、回転体２６がその開放溝２８を上にしている図２の位置で位置検出用ロータ３６の被検出対象部４０が位置検出用センサ５２に検出されている状態にある。この状態では、開閉部材６４の開放時に入口部６０から入球したパチンコ球５８が１球だけ開放溝２８内に入る。これ以後入球したパチンコ球５８は、図３に示す如く回転体２６の左右の外れ穴周部５６Ｂから、外れ通路１００内へそれぞれ導かれる。回転体２６は駆動モータ４８を正転又は逆転することにより、回転軸５０、位置検出用ロータ３６、回転軸部材３４、軸固定部材３０を介して回動される。
【００３２】
そして、回転体２６が正転、又は逆転され、一回転すると、位置検出用センサ５２に位置検出用ロータ３６の被検出対象部４０が検出され、この時点で駆動モータ４８が停止され、回転体２６は開放溝２８が上になる当初の位置に停止する。
【００３３】
次に前述のように構成した本実施例の遊技球の入賞装置をパチンコ機に用いたときの制御装置による制御動作の要部を図９のフローチャートによって説明する。
【００３４】
まず、ステップ１２０で、電源が入っているか否かを判定し、電源が入っていない場合は入るまで待って、ステップ１２２へ進む。ステップ１２２では、開放条件成立か否かを判定する。すなわち、パチンコ球が始動口１４に入球したときを開放条件成立とする。なお、表示装置を有する電動役物と共に用いる場合には当り図柄が揃ったとき等を開放条件成立としても良い。そして、開放条件成立の場合にはステップ１２４へ進み、不成立の場合はステップ１２０へ戻る。ステップ１２４では入球カウントスイッチ６２がカウントした入口部６０に入球したパチンコ球の個数をカウントしている入球カウンタ６３のカウント値をクリヤし、ステップ１２６へ進む。ステップ１２６では、開閉用ソレノイド８４をＯＮ動作して開閉部材６４を開きステップ１２８へ進む。ステップ１２８では開閉部材６４を例えば６秒間開けるため、所定秒数（例えば６秒）経過するまでステップ１２６の開閉用ソレノイド８４のＯＮ動作を繰り返し、所定秒数経過後ステップ１３０へ進む。
【００３５】
ステップ１３０では、開閉用ソレノイド８４をＯＦＦ動作して、開閉部材を６４を閉じステップ１３２へ進む。
【００３６】
ステップ１３２では、入球カウンタ６３のカウント値が、設定数Ｎに等しいか、又はこれより大きいかを判定する。この設定数Ｎは任意に決定できるものであり、外れ通路１００に入るパチンコ球と、当り通路１０２に入るパチンコ球の比率（当りの確率）を定める数となる。この設定数Ｎはあらかじめ制御装置のＲＯＭに記憶させておいても良いし、別途、設けた入力装置で必要に応じて任意の値に変更できるようにしても良い。さらには、制御装置で乱数に照合し始動口１４にパチンコ球が入球毎にランダムな値を設定しても良い。この設定数Ｎは本実施例では３以上の数で、例えば１８〜２０程度の数にし、入口部６０に入球するパチンコ球の数と、当り通路１０２に入る確率との関係からゲームとしての面白味を引き出すようにしている。このステップ１３２で入球カウンタ値が設定数Ｎより等しいか、又は大きい場合はステップ１３４へ進み回転体２６を右へ１回転回動後、ステップ１３８へ進む。これにより回転体２６は、図２に示す状態から図５、図６に示す状態に図に向かって右方向に回動し、開放溝２８に貯留していた１個のパチンコ球５８を当り通路１０２内へ導く。
【００３７】
ステップ１３２で入球カウンタ値が設定数Ｎより小さい場合は、ステップ１３６へ進み、回転体２６を右へ１回転回動後、ステップ１３８へ進む。これにより、回転体２６は図２に示す状態から図４、に示す状態に図に向かって左方向に回動し、開放溝２８に貯留していた１個のパチンコ球５８を外れ通路１００内へ導く。
【００３８】
次にステップ１３８では、前述したステップ１３４でパチンコ球５８が当り通路１０２内に送り込まれたことを検出するための入球スイッチ１０４がパチンコ球５８の通過を検出したか否かを判定し、入球スイッチ１０４がパチンコ球５８の通過を検出した場合には、制御装置は当りを確認し、ステップ１４０に進んで当り処理を実行する。また、ステップ１３８で、入球スイッチ１０４がパチンコ球の通過を検出しない場合には、外れの状態であるので、ステップ１２０へ戻る。
【００３９】
なお、上述した本実施例では、入口部６０の入球カウントスイッチ６２を通過して来たパチンコ球５８を外れ通路１００又は当り通路１０２へ振り分けるのに回転体２６を用いた例について説明したが、この構成に代えて、案内部材を抜き差し、又は揺動してパチンコ球を外れ通路又は当り通路へ導くように構成する等、種々の振り分け手段を用いても良いことは勿論である。
【００４０】
【発明の効果】
本発明は上記の構成としたので、入口部から入球した遊技球の数を入球カウント検出手段によって入口部でカウントし、このカウント値が所要の入賞確率に対応した設定数に等しいか又は大きい場合に、制御装置が振り分け手段を動作して遊技球がそれまで外れ通路へ導かれていたものを当り通路へ導くようにする。よって、遊技球が当りとなる確率を振り分け手段の構造を変更することなく、制御装置に記憶させる設定数を変更するだけで変更可能とできる。しかも入口部の入球カウント検出手段と振り分け手段だけの簡素な構成で小形化可能な遊技球の入賞装置を得られるという効果がある。
【図面の簡単な説明】
【図１】本発明の一実施例に係る遊技球の入賞装置を備えたパチンコ機を例示する全体概略正面図である。
【図２】本実施例の遊技球の入賞装置における入口部に設けた開閉装置が閉じている状態を示す正面概略説明線図である。
【図３】前記遊技球の入賞装置における開閉装置が開いている状態を示す正面概略説明線図である。
【図４】前記遊技球の入賞装置における回転体が遊技球を外れ通路側へ排出する状態を示す正面概略説明線図である。
【図５】前記遊技球の入賞装置における回転体が遊技球を当り通路側へ排出する途上で当り案内用周部に案内されている状態を示す正面概略説明線図である。
【図６】前記遊技球の入賞装置における回転体が遊技球を当り通路側へ排出する状態を示す正面概略説明線図である。
【図７】本実施例の遊技球の入賞装置を示す分解斜視図である。
【図８】本実施例の遊技球の入賞装置を動作させるための制御装置の概略構成を示す要部ブロック図である。
【図９】本実施例の制御装置の制御動作を示すフローチャートである。
【符号の説明】
１０  遊技球
１２  入賞装置
１４  始動口
２４  ハウジング
２６  回転体（振り分け手段）
２８  開放溝
５６  周壁
６０  入口部
６２  入球カウントスイッチ（入球カウント検出手段）
６４  開閉部材
１００  外れ通路
１０２  当り通路
【図１】
0003946785.tif 000002
【図２】
0003946785.tif 000003
【図３】
0003946785.tif 000004
【図４】
0003946785.tif 000005
【図５】
0003946785.tif 000006
【図６】
0003946785.tif 000007
【図７】
0003946785.tif 000008
【図８】
0003946785.tif 000009
【図９】
0003946785.tif 000010